(57)【要約】関節継手を介して互いに結合された２ストッパ部材を有する特に家具用ヒンジ。ストッパ部材の一方は本体、特に家具本体に固定され、第二のストッパ部材は扉板（６）に固定されている。バネ機構（１１）と流体ダンパとが設けられている。流体ダンパはストッパ部材の一方に配置されて、関節継手とは独立した作動機構を介して常に第二のストッパ部材と結合されている。
2006526087.tif 000002
【特許請求の範囲】
【請求項１】
関節継手を介して互いに結合されて、一方は本体とくに家具本体に固定され、他方は扉板に固定されている２つのストッパ部材と、閉バネと、流体ダンパとを有した特に家具用ヒンジであって、
前記流体ダンパは前記ストッパ部材の一方に配置されて、前記関節継手とは独立した作動機構を介して常に第二のストッパ部材と結合されていることを特徴とするヒンジ。
【請求項２】
請求項１記載のヒンジであって、
一方のストッパ部材はヒンジポット（５）として形成され、第二のストッパ部材はヒンジアーム（１）として形成されており、流体ダンパはヒンジポット（５）に配置されて作動機構を介してヒンジアーム（１）と結合されていることを特徴とするヒンジ。
【請求項３】
請求項１記載のヒンジであって、
一方のストッパ部材はヒンジポット（５）として形成され、第二のストッパ部材はヒンジアーム（１）として形成されており、流体ダンパはヒンジアーム（１）に支持されて作動機構を介してヒンジポット（５）と結合されていることを特徴とするヒンジ。
【請求項４】
請求項２または３記載のヒンジであって、
作動機構は関節アーム（１５）によって形成されることを特徴とするヒンジ。
【請求項５】
請求項４記載のヒンジであって、
ヒンジアーム（１）とヒンジポット（５）とは、関節継手を形成する２関節アーム（４）を介して互いに結合されており、作動機構の関節アーム（１５）は関節アーム（４）の横に配置されていることを特徴とするヒンジ。
【請求項６】
請求項５記載のヒンジであって、
作動機構の関節アーム（１５）は関節継手の関節アーム（４）の両側に配置されていることを特徴とするヒンジ。
【請求項７】
請求項２から６のいずれか１項に記載のヒンジであって、
ヒンジアーム（１）は家具側壁（３）に固定可能なベースプレート（２）に掛止可能であって、弾性係合機構を経てベースプレートに係合固定され得ることを特徴とするヒンジ。
【請求項８】
請求項３から７のいずれか１項に記載のヒンジであって、
流体ダンパはヒンジポット（５）に対向する、ヒンジアーム（１）の端部に支持されていることを特徴とするヒンジ。
【請求項９】
請求項３から８のいずれか１項に記載のヒンジであって、
ヒンジアーム（１）は、ヒンジアーム（１）の側方に張り出した留め板（２９）を有するベースプレート（２）に支持されており、流体ダンパは留め板（２９）とヒンジポット（５）との間でヒンジアーム（１）に支持されていることを特徴とするヒンジ。
【請求項１０】
請求項９に記載のヒンジであって、
ヒンジアーム（１）はヒンジアーム（１）の軸に支持された２関節アーム（４）を介してヒンジポット（５）と結合されており、流体ダンパは前記の軸とベースプレート（２）の留め板（２９）との間に配置されていることを特徴とするヒンジ。
【請求項１１】
請求項１から１０のいずれか１項に記載のヒンジであって、
流体ダンパはヒンジポット（５）に可傾式に支持されたフレーム（２５）に配されていることを特徴とするヒンジ。
【請求項１２】
請求項１から１１のいずれか１項に記載のヒンジであって、
流体ダンパは回転ダンパ（９）として構成されていることを特徴とするヒンジ。
【請求項１３】
請求項１２記載のヒンジであって、
回転ダンパ（９）は、第二のストッパ部材に可傾式に支持されたラック（２７）と噛合するピニオン（２６）を有することを特徴とするヒンジ。
【請求項１４】
請求項１３記載のヒンジであって、
ラック（２７）は関節継手の関節アーム（４）の横に配置されていることを特徴とするヒンジ。
【請求項１５】
請求項１３記載のヒンジであって、
ラック（２７）はヒンジアーム（１）に可傾式に支持されていることを特徴とするヒンジ。
【請求項１６】
請求項１から１１のいずれか１項に記載のヒンジであって、
流体ダンパは、シリンダ（２８）内を直線往復動し得るピストンを有した直線ダンパ（１０）として構成されていることを特徴とするヒンジ。
【請求項１７】
請求項１６記載のヒンジであって、
シリンダ（２８）はストッパ部材の一方に可傾式に支持されていることを特徴とするヒンジ。
【請求項１８】
請求項１７記載のヒンジであって、
シリンダ（２８）はヒンジポット（５）に可傾式に支持されていることを特徴とするヒンジ。
【請求項１９】
請求項１８記載のヒンジであって、
直線ダンパ（１０）のピストンはヒンジアーム（１）に可傾式に支持されたピストンロッド（２９）と結合されているかまたは該ロッドに形成されていることを特徴とするヒンジ。
【請求項２０】
請求項１から１９のいずれか１項に記載のヒンジであって、
ストッパ部材の一方には、関節継手とは独立した連結部品を介して第二のストッパ部材に結合されて、ヒンジの閉時および／または開時にストッパ部材の一方を最終的な閉ポジションおよび／または開ポジションに運動させるバネ機構（１１）が配置されていることを特徴とするヒンジ。
【請求項２１】
請求項２０に記載のヒンジであって、
流体ダンパとバネ機構（１１）とは同一のストッパ部材に配置されていることを特徴とするヒンジ。
【請求項２２】
請求項２０または２１に記載のヒンジであって、
２つのバネ機構（１１）が設けられ、そのうち一方はストッパ部材の一方を最終的な閉ポジションに向かって押し付け、他方は該ストッパ部材を最終的な開ポジションに向かって押し付けることを特徴とするヒンジ。
【請求項２３】
制御案内壁面（２０）に沿って案内されて、バネによる作用を受けて回旋し得る加圧部材を有する、ヒンジ用とくに請求項１から２２までのいずれか１項に記載のヒンジ用の閉機構および／または開機構としてのバネ機構であって、
加圧部材（１４）は、加圧部材（１４）の回旋運動をヒンジのストッパ部材に伝達する駆動軸（１７）を備えていることを特徴とするバネ機構。
【請求項２４】
請求項２３記載のバネ機構であって、
駆動軸（１７）とストッパ部材との間に連接棒が設けられていることを特徴とする、ヒンジ用の閉機構および／または開機構としてのバネ機構。
【請求項２５】
請求項２４記載のバネ機構であって、
連接棒は２関節アーム（１５）によって形成されることを特徴とする、ヒンジ用の閉機構および／または開機構としてのバネ機構。
【請求項２６】
請求項２３記載のバネ機構であって、
加圧部材（１４）は、中間に圧縮バネ（１９）が介在配置された、互いに入れ子式に相対変位し得る部品（１６，１８）を有することを特徴とする、ヒンジ用の閉機構および／または開機構としてのバネ機構。
【請求項２７】
請求項１から２２のいずれか１項に記載のヒンジであって、
請求項２３から２６までのいずれか１項に記載の閉機構および／または開機構としてのバネ機構を備えていることを特徴とするヒンジ。
【請求項２８】
請求項２７記載のヒンジであって、
流体ダンパと、バネ機構（１１）によって形成された閉機構および／または開機構とは１モジュラユニットにまとめられていることを特徴とするヒンジ。
【請求項２９】
請求項２７または２８記載のヒンジであって、
流体ダンパとバネ機構（１１）とは共通のケーシングを有することを特徴とするヒンジ。
【請求項３０】
請求項２７から２９のいずれか１項に記載のヒンジであって、
バネ機構（１１）はすでにヒンジに組み込まれているバネ機構に加えて設けられていることを特徴とするヒンジ。
【発明の詳細な説明】
【技術分野】
【０００１】
本発明は、関節継手を介して互いに結合された２つのストッパ部材（  そのうち一方は本体とくに家具本体に固定され、他方は扉板に固定されている）と、閉バネと、流体ダンパとを有したヒンジに関する。
【背景技術】
【０００２】
家具用のヒンジに、完全には閉じられていない扉を引寄せて最終的な閉ポジションにもたらす閉バネを備えることは公知に属する。さらに、家具扉が勢いよく閉じられる際の衝撃騒音を回避または低下させると同時にヒンジにかかる負荷も低減させることを目的とした制動装置を設けることも知られている。このダンパは独立した部品として家具に組付けられていてもあるいはヒンジに組み込まれていてもよい。
【発明の開示】
【発明が解決しようとする課題】
【０００３】
本発明の目的は、冒頭に述べた類のヒンジを改善し、従来のヒンジに流体ダンパを追加装備し得るようにすることである。こうした改善は工業的にも完全に可能である。本発明は、ダンパなしで機能し得るヒンジに、ヒンジに完全に組み込まれた形の流体ダンパを追加装備することが可能であるとのことを基本思想としている。
【課題を解決するための手段】
【０００４】
本発明の前記課題は、流体ダンパがストッパ部材の一方に配置され、関節継手とは独立した作動機構を介して第二のストッパ部材と常に結合されているように構成することによって解決される。
【０００５】
制動流体は、液体好ましくはオイルまたは気体または混合気体好ましくは空気によって形成されていてよい。流体ダンパは回転ダンパとして構成されていても、直線ダンパとして構成されていてもよい。
【０００６】
本発明のもう一つの目的は、改善された閉機構ないし開機構をヒンジに備えることである。
【０００７】
本発明の前記の目的は、ストッパ部材の一方に、関節継手とは独立した作動機構を介して第二のストッパ部材と結合されて、ヒンジの閉および／または開に際してストッパ部材の一方を最終的な閉ポジションおよび／または開ポジションに向けて運動させるバネ機構が配置されることによって解決される。液体ダンパーとバネ機構は同一の作動機構に統合していることが望ましい。
【０００８】
２つのバネ機構が設けられ、そのうち一方はストッパ部材の一方を最終的な閉ポジションに向かって押し付け、他方は該ストッパ部材を最終的な開ポジションに向かって押し付けるように構成されているのが有利である。
【０００９】
本発明の別途実施例において、流体ダンパと閉機構および／または開機構とは１モジュラユニットにまとめられている。
【発明を実施するための最良の形態】
【００１０】
以下、本発明のさまざまな実施例を添付図面の各図を参照して説明する。
【００１１】
本発明によるヒンジは従来のように、ベースプレート２に取付けられて第一のストッパ部材を形成するヒンジアーム１を有している。ベースプレート２は家具側壁３に、たとえばネジ留めによって固定されている。ヒンジアーム１は関節アーム４を介して、第二のストッパ部材を形成するヒンジポット５と関節式に結合されている。ヒンジポット５は扉とくに家具扉６に固定され、家具扉６に設けられた穴に嵌め込まれている。ヒンジポット５は、家具扉６に設けられた穴への打込み嵌めに加えて、さらに家具扉６にネジ留めされていてよい。これはヒンジポット５のフランジ８に設けられた穴７を通して螺入されるネジによって行われる。
【００１２】
この種のヒンジは欧州特許第０  ２２５  ６０９号［ＥＰ  ０  ２２５  ６０９  Ｂ１］明細書に記載されている。この種のヒンジの特段の特徴は、ヒンジアーム１が工具を使用せずにベースプレート２に組み付けられかつまた工具を使用せずに取り外すことができる点にある。ヒンジの組付けに際してヒンジアーム１は前方からベースプレート２に掛止され、こうして（  前記文献添付図面の図１〜６、参照）反時計回りに回され、弾性係合機構によって後端でベースプレート２に係合固定される。この弾性係合機構は、上述した欧州特許明細書に示されているように、たとえばバネ作用を受けたロッカアームによって形成される。
【００１３】
この種のヒンジは閉機構を備えており、その際、一般に、２つの関節アーム４の一方は、関節アーム４と共にヒンジポット５を完全な閉ポジションに押し付ける、ヒンジアーム１に支持されたバネの作用を受ける。
【００１４】
本発明により、ヒンジは、ヒンジポット５のフランジ８に配置されているかまたはヒンジアーム１に支持されている流体ダンパを備えている。この流体ダンパは回転ダンパ９として形成され、図示実施例（  図１−１８および２５）におけるようにベーンダンパとして形成されていてもよく、または図１９−２４に示した実施例におけるように直線ダンパ１０として形成されていてもよい。有利にはヒンジは、補助的な閉機構および／または開機構１１として機能するバネ機構１１を備えている。このバネ機構１１は、配向に応じて、ヒンジを最終的な閉ポジションにも、開ポジションにも運動させることができる。この補助的なバネ機構１１は流体ダンパによって消費されるエネルギを供給する。
【００１５】
図１−５に示した実施例において、回転ダンパ９とバネ機構１１とはヒンジポット５のフランジ８に形成された共通のケーシング１２内に配置されている。
【００１６】
回転ダンパ９のベーン１３ならびにバネ機構１１の加圧部材１４は関節アーム１５を介してヒンジアーム１と結合されている。家具扉６の開閉は関節アーム１５の運動を生じ、これによって回転ダンパ９のベーン１３は図示実施例において約１１０°にわたって回転させられる。
【００１７】
前述した運動は最終的な閉領域または開領域において、同じく関節アーム１５と結合されているバネ機構１１の加圧部材１４によって付勢される。関節アーム１５は関節アーム４の両側に配置されている。
【００１８】
加圧部材１４は、駆動軸１７を形成する軸に回転確動支持された部品１６からなっている。駆動軸１７はさらに、関節アーム１５の一方と回転確動結合されている。
【００１９】
部品１６には、部品１６にキャップ状に被装された部品１８が支持されている。部品１６と１８との間には、部品１８をケーシング１２の内側湾曲壁面２０に向かって押し付ける圧縮バネ１９が配置されている。湾曲壁面２０の領域２１におけるバネ機構１１の挙動はニュートラルであり、つまり、関節アーム１５にはなんらのトルクも及ぼされない。領域２２において、案内壁面２０の湾曲形状とバネ１９の圧力とによってトルクが発生し、これが加圧部材１４から駆動軸１７を経て関節アーム１５に伝達され、その結果、関節アーム１５に角運動が生ずる。
【００２０】
家具扉６がバネ機構１１によって最終的な閉ポジションにも、また最終的な開ポジションにも運動させられるようにするため、反対方向に作用する２つのバネ機構１１が設けられていてよい。また、ケーシング内部に、２つの加圧部材１４が摺動する２つの案内壁面２０を設けることもできる。この場合、付勢領域２２はそれぞれニュートラル領域２１の対向する端部に形成されている。
【００２１】
さらに、両端にそれぞれ１付勢領域２２を有する１湾曲壁面２０を設け、領域２２が１ニュートラル領域２１を挟むようにすることも可能である。
【００２２】
回転ダンパ９の場合には、ベーン１３の回転ないし回旋運動中に、ダンパ流体は（それが液体であれ、ガスであれ）ベーン１３の先端とケーシング壁面２３との間の隙間によって圧力を受け、これにより所望の制動効果が達成される。
【００２３】
図７−１５に示した実施例において、回転ダンパ９とバネ機構１１とはモジュラユニット２４としてヒンジアーム１に支持されており、回転ダンパ９とバネ機構１１とはヒンジ１の互いに対向する側に配置されている。
【００２４】
図示実施例において、ベースプレート２はヒンジアーム１の側方に張り出した、固定ネジが螺入される２つの翼板３０を備えている。
【００２５】
図７−１５に示した実施例において、回転ダンパ９とバネ機構１１とは翼板３０とヒンジアーム１の前端との間に配置されている。ヒンジアーム１の前端とは、関節アーム４が連結されている端部として理解されることとする。
【００２６】
またも、回転ダンパのベーン１３とバネ機構１１の加圧部材１４とは関節アーム１５の一方と回転確動結合されている。ヒンジの閉に際しておよび好ましくはヒンジの開に際しても、ヒンジポット５の運動と共に家具扉６の運動は少なくとも最終的な閉領域ないし開領域において回転ダンパ９によって制動される。他方で、開閉運動はバネ機構１１によって付勢される。
【００２７】
図１６−１８に示した実施例において、回転ダンパ９とバネ機構１１とはヒンジポット５のフランジ８に可傾式に支持されている。回転ダンパ９のケーシングとバネ機構１１のケーシングとは、ヒンジポット５のフランジ８に回旋式に支持されているフレーム２５を介して相互に結合されている。
【００２８】
回転ダンパのベーン１３も、バネ機構１１の加圧アーム１４も共にピニオン２６を備えている。ピニオン２６は、ヒンジアーム１に回旋式に連結されているラック２７と噛合している。ラック２７は関節アーム１５の機能を引き受け、同じく関節アーム４の両側に配置されている。
【００２９】
図１９−２４に示した実施例において、流体ダンパは、ピストンロッド２９と結合されたピストンが内部を直線往復運動する、ヒンジポット５に回旋式に支持されたシリンダ２８を有する直線ダンパ１０として形成されている。ピストンロッド２９はヒンジアーム１に回旋式に連結されている。バネ機構１１は前述した実施例と同様に形成されている。バネ機構１１も、直線ダンパ１０も共に、またも、ヒンジポット５に回旋式に支持されたフレーム２５に支持されている。
【図面の簡単な説明】
【００３０】
【図１】閉ポジションにあるヒンジを示す立体図である。
【図２】半開ポジションにあるヒンジを示す立体図である。
【図３】全開ポジションにあるヒンジを示す立体図である。
【図４】閉ポジションにあるヒンジの側面図である。
【図５】半開ポジションにあるヒンジの側面図である。
【図６】全開ポジションにあるヒンジの側面図である。
【図７】閉ポジションにある、本発明の別途実施例のヒンジを示す図である。
【図８】半開ポジションにある、図７に示したヒンジの立体図である。
【図９】全開ポジションにある、図７，８に示した実施例のヒンジの立体図である。
【図１０】閉ポジションにある、図７−９のヒンジの側面図である。
【図１１】半開ポジションにある前記ヒンジの側面図である。
【図１２】全開ポジションにある前記ヒンジの側面図である。
【図１３】ヒンジアームをベースプレートに組付ける前の前記ヒンジの側面図である。
【図１４】ヒンジアーム組付け中の前記ヒンジの側面図である。
【図１５】ベースプレートへのヒンジアーム組付け後の前記ヒンジの側面図である。
【図１６】閉ポジションにある、本発明のさらに別途実施例のヒンジの立体図である。
【図１７】半開ポジションにある、図１６に示したヒンジの立体図である。
【図１８】全開ポジションにある、図１６，１７の実施例のヒンジの立体図である。
【図１９】閉ポジションにある、さらに別途実施例のヒンジの立体図である。
【図２０】半開ポジションにある、図１９に示したヒンジの立体図である。
【図２１】全開ポジションにある、図１９，２０の実施例のヒンジの立体図である。
【図２２】閉ポジションにある、図１９−２１に示したヒンジの側面図である。
【図２３】半開ポジションにある、前記ヒンジの側面図である。
【図２４】全開ポジションにある、前記ヒンジの側面図である。
【図２５】半開ポジションにあるヒンジの別途立体図である。
【図２６】図２５の箇所Ａを示す図である。
【図２７】図２５の箇所Ｂを示す図である。
【図２８ａ】流体回転ダンパのそれぞれ概略的な断面を示す図である。
【図２８ｂ】流体回転ダンパのそれぞれ概略的な断面を示す図である。
【図２８ｃ】流体回転ダンパのそれぞれ概略的な断面を示す図である。
【図２９ａ】本発明によるヒンジの閉機構および／または開機構を形成する本発明によるバネ機構の断面をそれぞれ概略的に示す図である。
【図２９ｂ】本発明によるヒンジの閉機構および／または開機構を形成する本発明によるバネ機構の断面をそれぞれ概略的に示す図である。
【図２９ｃ】本発明によるヒンジの閉機構および／または開機構を形成する本発明によるバネ機構の断面をそれぞれ概略的に示す図である。
【図１】
2006526087.tif 000003
【図２】
2006526087.tif 000004
【図３】
2006526087.tif 000005
【図４】
2006526087.tif 000006
【図５】
2006526087.tif 000007
【図６】
2006526087.tif 000008
【図７】
2006526087.tif 000009
【図８】
2006526087.tif 000010
【図９】
2006526087.tif 000011
【図１０】
2006526087.tif 000012
【図１１】
2006526087.tif 000013
【図１２】
2006526087.tif 000014
【図１３】
2006526087.tif 000015
【図１４】
2006526087.tif 000016
【図１５】
2006526087.tif 000017
【図１６】
2006526087.tif 000018
【図１７】
2006526087.tif 000019
【図１８】
2006526087.tif 000020
【図１９】
2006526087.tif 000021
【図２０】
2006526087.tif 000022
【図２１】
2006526087.tif 000023
【図２２】
2006526087.tif 000024
【図２３】
2006526087.tif 000025
【図２４】
2006526087.tif 000026
【図２５】
2006526087.tif 000027
【図２６】
2006526087.tif 000028
【図２７】
2006526087.tif 000029
2006526087.tif 000030
2006526087.tif 000031
【国際調査報告】
2006526087.tif 000032
2006526087.tif 000033
2006526087.tif 000034
2006526087.tif 000035
2006526087.tif 000036
2006526087.tif 000037
2006526087.tif 000038
2006526087.tif 000039